(57)【要約】  本発明は、スイッチト動作モードに基づいて、第１の値の入力信号を第２の値の出力信号に変換するためのコンバータ回路、および、変換方法に関し、出力フィードバック・ループ（４０）および追加的な入力フォワード制御ループ（６０）が提供される。追加的な入力フォワード制御ループ（６０）は、出力負荷に関してばかりでなく、広い入力電圧範囲にわたっても、スイッチング・パラメータを正しく制御するように機能する。これは、コンバータ回路の改善された電力効率および信頼性をもたらす。
2008509643.tif 000002
【特許請求の範囲】
【請求項１】
スイッチト動作モードに基づいて、入力信号の第１の値を出力信号の第２の値に変換するためのコンバータ回路であって、
ａ）前記入力信号の前記第１の値を第１の基準値と比較し、その比較結果に応じて、前記スイッチト動作モードのスイッチング・パラメータを制御するための、第１の制御ループと、
ｂ）前記出力信号の前記第２の値を第２の基準値と比較し、その比較結果に応じて、前記スイッチト動作モードのスイッチング・パラメータを制御するための、第２の制御ループと、を備える、コンバータ回路。
【請求項２】
前記第１の値は、前記入力信号の電圧値であり、前記第２の値は、前記出力信号の電圧値である、請求項１に記載のコンバータ回路。
【請求項３】
前記スイッチング・パラメータは、前記スイッチト動作モードの動作周波数である、請求項１に記載のコンバータ回路。
【請求項４】
前記第１の制御ループは、前記第１の値が第１の基準値より下に降下した場合、前記動作周波数を低減するように適応される、請求項１に記載のコンバータ回路。
【請求項５】
前記変換は、少なくとも１つのスイッチト・インダクタンスに基づく、請求項１に記載のコンバータ回路。
【請求項６】
動作サイクルの完了後にだけ前記スイッチング・パラメータの制御を許可にするために、シーケンサ手段をさらに備える、請求項１に記載のコンバータ回路。
【請求項７】
前記シーケンサ手段は、前記第２の制御ループに優先権を与えるように適応される、請求項６に記載のコンバータ回路。
【請求項８】
電子装置の供給電力を生み出すための集積回路であって、前記集積回路は、請求項１から７のいずれか１項によるコンバータ回路を備え、前記第１の制御ループは、前記集積回路の供給電圧を監視するための監視手段を備える、集積回路。
【請求項９】
前記電子装置は、スマート・カード装置である、請求項８に記載の集積回路。
【請求項１０】
スイッチト動作モードに基づいて、入力信号の第１の値を出力信号の第２の値に変換するための方法であって、
ａ）前記入力信号の前記第１の値を第１の基準値と比較する第１の比較ステップと、
ｂ）前記第１の比較ステップの結果に応じて、前記スイッチト動作モードのスイッチング・パラメータの制御を開始する第１の制御ステップと、
ｃ）前記出力信号の前記第２の値を第２の基準値と比較する第２の比較ステップと、
ｄ）前記第２の比較ステップの結果に応じて、前記スイッチト動作モードのスイッチング・パラメータの制御を開始する第２の制御ステップと、を備える、方法。
【発明の詳細な説明】
【技術分野】
【０００１】
本発明は、スイッチト動作モード［switched operating mode］に基づいて、第１の値の入力信号を第２の値の出力信号に変換するためのコンバータ回路、および対応する変換方法に関する。
【背景技術】
【０００２】
調節または制御される電源装置は、バッテリ充電器、セルラ電話、コンピュータ、コンピュータ・モニタ、テレビ、オーディオ機器、およびビデオ・カメラを始めとする、実質的にすべての電子装置に見出される。１つの典型的な電源装置は、直流・直流コンバータ（以下では簡単にＤＣコンバータと呼ばれる）などのコンバータであり、電力源から動作し、中間過程として交流信号を生み出し、出力信号を負荷に送り届ける。ＤＣコンバータは、ＤＣ入力電圧を受け入れ、ＤＣ出力電圧を生成する。一般に、生成される出力電圧は、入力電圧とは異なる値またはレベルにある。
【０００３】
典型的なパルス幅変調（ＰＷＭ―Pulse Width Modulation―）レギュレータ回路では、方形波がスイッチング装置の制御端子に供給されて、そのオンおよびオフ状態を制御する。スイッチング装置のオン時間が長くなると出力電圧の上昇をもたらし、また短くなると下降をもたらすので、出力電圧は、方形波のデューティ・サイクルを操作することによって、制御されることができる。この操作は、継続的に出力電圧を基準電圧と比較し、実質的に一定の出力電圧を維持するために方形波のデューティ・サイクルを調整する、制御ループ内の制御回路によって達成される。
【０００４】
代替として、電圧調節のパルス周波数変調（ＰＦＭ―Pulse Frequency Modulation―）は、小さな出力電流レベルでは上記のＰＷＭモードよりも優れた効率を提供する。第１に、ＰＦＭモードは、一定の出力電圧を維持するために、ＰＷＭモードより少数のターンオン・トランジスタしか必要とせず、その結果、スイッチング・トランジスタのより低いゲート駆動電力損をもたらす。第２に、ＰＦＭモードは、より少数の構成要素を有するはるかに簡単な制御回路を用いて達成されることができるので、ＰＦＭモードの制御ループにおける電力損は、ＰＷＭモードの制御ループにおけるよりも小さい。しかし、出力電流が中程度のレベルに達すると、ＰＦＭモードから得ることが可能な最大出力電流は、ＰＭＭモードから得ることが可能なものより一般にはるかに小さいので、電圧調節のＰＦＭモードは非実用的になる。
【０００５】
図１は、可変入力電圧Ｖｉｎから調節された出力電圧Ｖｏｕｔを生成する、従来のコンバータ回路の概略ブロック図を示している。出力電圧Ｖｏｕｔは入力電圧Ｖｉｎより高い値を有して実質的に一定であるが、入力電圧Ｖｉｎおよび出力負荷は変化することができる。そのようなＤＣ電圧コンバータは、インダクタＬと、パワー・トランジスタまたは別の制御可能な半導体スイッチング装置とすることができるスイッチング装置２０とを流れる電流により生み出されるエネルギーを、インダクタＬを使用して蓄える。スイッチング装置２０は、関係する電流経路をオフに切り換えるために使用され、その場合、インダクタＬに蓄えられたエネルギーが、電流としてダイオードＤを介して出力に送られ、出力端子に並列に接続されたキャパシタＣを充電する。スイッチング装置２０を継続的にオンおよびオフに切り換えることによって、インダクタＬに蓄えられたエネルギーが、継続的にダイオードＤを介してキャパシタＣに移され、キャパシタＣを充電する。ダイオードＤは、出力電圧Ｖｏｕｔが入力電圧Ｖｉｎより高くなることができるように、キャパシタＣにおける電圧とスイッチング装置２０における電圧の間にデカップリングを提供するように機能する。すでに言及されたように、スイッチング装置２０は、固定周波数を用いるＰＭＷ動作モードで制御されることができ、出力電圧Ｖｏｕｔを実質的に一定に維持するために、デューティ・サイクルまたはスイッチング位相の持続時間が制御される。
【０００６】
他方、スイッチング装置２０は、ＰＦＭ動作モードで動作させられることもでき、出力電圧Ｖｏｕｔを実質的に一定に維持するために、スイッチング周波数が変化させられる。スイッチト動作モードは、ドライバ回路１０によって制御され、ドライバ回路１０は、発振器を備え、スイッチング装置２０の制御端子に供給される、長方形信号などの対応する制御信号を生成する。
【０００７】
出力電圧Ｖｏｕｔは、フィードバック・ループ４０によって制御され、フィードバック・ループ４０は、出力電圧Ｖｏｕｔの値を基準電圧と比較し、その後、比較結果に基づいて、スイッチング周波数またはデューティ・サイクルを調整する。コンバータの効率を改善するため、追加的なスイッチング装置３０が、ダイオードＤの閾値電圧を取り除くために、ダイオードＤの所に、またはダイオードＤに代わって提供されることができる。追加的なスイッチング装置３０は、別個のドライバ装置によって、またはスイッチング装置２０を制御するドライバ装置１０によって制御されることができる。
【０００８】
以下ではＤＣコンバータの全３フェーズ動作サイクル［complete three-phase operating cycle］が説明される。
【０００９】
第１のフェーズでは、電流がインダクタＬおよびスイッチング装置２０を流れ、１発振器サイクルの間、エネルギーがインダクタＬに蓄えられるように、スイッチング装置２０はオンに切り換えられ、スイッチング装置３０はオフに切り換えられる。
【００１０】
第２のフェーズでは、電流が今度はキャパシタＣに流れ、エネルギーがキャパシタＣに送られるように、スイッチング装置２０はオフに切り換えられ、スイッチング装置３０はオンに切り換えられる。
【００１１】
第３のフェーズでは、例えば、第１および第２のフェーズの間、または出力電圧Ｖｏｕｔが正しいかもしくは所望の電圧値に達したとき、スイッチング装置２０はオフに切り換えられ、スイッチング装置３０もオフに切り換えられる。
【００１２】
出力電圧Ｖｏｕｔは、フィードバック・ループ４０によって制御され、フィードバック・ループ４０は、出力電圧が低くなり過ぎた場合、新しい動作サイクルの開始を可能にし、または開始し、それにより、スイッチング周波数またはデューティ・サイクルを増大させる。スイッチング装置２０および追加的なスイッチング装置３０が同時にオンに切り換えられるのを回避するため、スイッチング・フェーズは、ドライバ装置１０によって慎重に制御されなければならない。
【００１３】
出力に送られることができるエネルギー量は、インダクタＬのインダクタンス値とドライバ装置１０内の発振器のスイッチング周期とに直接的に関連させられる。与えられたインダクタンス値と発振器周波数に対して、限られた入力電圧範囲の間でのみ、所望の出力電力が送り出されることができる。その結果、この限られた範囲を超えた入力電圧の予期せぬまたは突然の降下は、出力電圧に著しい変化をもたらすことがある。
【００１４】
文献ＵＳ２００３／０２１４２７６Ａ１は、出力電流を供給するためのスイッチング装置を使用し、ＰＷＭモードで機能する第１の制御回路を用いて、また代替対応ではＰＦＭモードで機能する第２の制御回路を用いて、スイッチング装置を制御することによって、調節された出力電圧および出力電流が生み出されるＤＣコンバータを開示している。第２のフィードバック回路が第２の制御回路に含まれ、パルス周波数の限界を導入するために、時間遅延が第２のフィードバック回路に導入される。それによって、コンバータがＰＦＭモードで動作しているときに生じることがある過負荷状態を検出し、ＰＷＭモードに切り換わることが可能になる。
【発明の開示】
【発明が解決しようとする課題】
【００１５】
本発明の目的は、入力電圧の予期せぬ降下から生じる有害な影響がそれによって防止または少なくとも軽減され得る、コンバータ回路および変換方法を提供することである。
【課題を解決するための手段】
【００１６】
この目的は、
ａ）前記入力信号の前記第１の値を第１の基準値と比較して、その比較結果に応じて、前記スイッチト動作モードのスイッチング・パラメータを制御するための、第１の制御ループと、
ｂ）前記出力信号の前記第２の値を第２の基準値と比較して、その比較結果に応じて、前記スイッチト動作モードのスイッチング・パラメータを制御するための、第２の制御ループと、を備える、上述の種類のコンバータによって達成される。
【００１７】
さらに、本発明の目的は、
ａ）前記入力信号の前記第１の値を第１の基準値と比較する第１の比較ステップと、
ｂ）前記第１の比較ステップの結果に応じて前記スイッチト動作モードのスイッチング・パラメータの制御を開始する第１の制御ステップと、
ｃ）前記出力信号の前記第２の値を第２の基準値と比較する第２の比較ステップと、
ｄ）前記第２の比較ステップの結果に応じて前記スイッチト動作モードのスイッチング・パラメータの制御を開始する第２の制御ステップと、を備える、上述の種類の方法によって達成される。
【００１８】
したがって、入力電圧が降下または変化した場合にスイッチング周波数または別のスイッチング・パラメータが直接変更され得るように、入力信号の値を監視して、その監視結果に基づいてスイッチング・パラメータを制御する、追加的なフォワード制御ループが提供される。したがって、出力電圧は、出力負荷に関してばかりでなく、広い入力電圧範囲にわたっても、正しく調節される。これは、コンバータ回路の改善された電力効率および信頼性をもたらす。
【００１９】
第１の値は、入力信号の電圧値とすることができ、第２の値は、出力信号の電圧値とすることができる。それによって、デュアル・ループ・コンバータ回路の具体例として、改良されたＤＣ電圧コンバータを得ることが可能である。
【００２０】
スイッチング・パラメータは、スイッチト動作モードの動作周波数とすることができる。この場合、第１の制御ループは、第１の値が第１の基準値より下に降下した場合、動作周波数を低減するように適応される。スイッチング・パラメータとしての動作周波数の使用は、電圧制御発振器などの簡単な制御可能発振器を有する簡単なドライバ回路という利点を提供する。
【００２１】
さらに、変換は、少なくとも１つのスイッチト・インダクタに基づくことができる。
【００２２】
さらに、動作サイクルの完了後にだけスイッチング・パラメータの制御を可能にするために、シーケンサ手段が提供されることができる。これは、動作サイクルが常に正常に終了させられ、フェーズ変化に起因する有害な影響が出力電圧に及ばないことを保証する。これに加えて、シーケンサ手段は、第２の制御ループに優先権を与えるように適応されることができる。それによって、２つの制御ループが干渉を起こさずに動作することが保証される。
【００２３】
コンバータ回路は、電子装置の供給電力を生み出すための集積回路内に配置されることができ、第１の制御ループは、集積回路の供給電圧を監視するための監視手段を備える。これは、すでに集積回路内に設けられた電圧監視回路が、コンバータ回路に少なくとも部分的に組み込まれることができる点で有利である。
【００２４】
今から本発明が、添付の図面を参照しながら、本発明の好ましい実施形態に基づいて説明される。
【発明を実施するための最良の形態】
【００２５】
今から、好ましい実施形態が、例えば、スマート・カードなどの電子機器の供給電力を生み出すための集積回路内で使用され得るＤＣコンバータに基づいて説明される。
【００２６】
図２は、好ましい実施形態によるＤＣコンバータの概略ブロック図を示している。図１の従来の回路に加えて、好ましい実施形態は、入力制御ループ６０を備えており、入力制御ループ６０は入力電圧Ｖｉｎの値を監視または調査し、それを、供給電圧から基準電圧を生み出すのに適した半導体回路または抵抗回路網とすることができる基準電圧ジェネレータ５２によって供給された入力基準電圧と比較する。好ましい実施形態においては、基準電圧ジェネレータ５２は、出力制御またはフィードバック・ループ４０に供給される第１の基準電圧も生成することができる。
【００２７】
スイッチング装置２０の基本機能、発振器を有するドライバ装置１０、追加的なスイッチング装置３０、および出力制御ループ４０は、図１に関して説明された従来の回路に基本的に対応し、そのため、回路のこれらの部分の説明は、簡潔化のためここでは省略されることがあり得ることに留意されたい。
【００２８】
発振器の周波数またはデューティ・サイクル位相などその他の任意のスイッチング・パラメータは、入力電圧Ｖｉｎの値を監視した結果に基づいて調整されるという事実により、追加的な入力制御ループ６０は、インダクタＬのただ１つのインダクタンス値を用いて広い入力電圧範囲を獲得するように機能するフォワード制御ループと見なされることができる。入力電圧Ｖｉｎが低すぎる場合、始めに説明されたコンバータ回路の第１のフェーズの持続時間を増やし、それによって、より多くのエネルギーをインダクタＬに蓄えて、その結果、利用可能なより多くのエネルギーが出力側、すなわち、キャパシタＣに送られるようにするため、発振器周波数が引き下げられる。
【００２９】
もちろん、スイッチング動作のその他のスイッチング・パラメータが入力制御ループ６０によって制御され、それによって、コンバータ回路の動作フェーズの持続時間を調整することもできる。
【００３０】
入力電圧Ｖｉｎの変化が速い場合、新しい入力制御ループ６０は、発振器周波数またはその他のスイッチング・パラメータを変更することによって、素早く反応する。しかし、この速いパラメータ変更は、現在の動作サイクルを混乱させ得るフェーズ変化を生じさせることがあり、例えば、スイッチング装置２０と追加的なスイッチング装置３０とを同時にオンに切り換え、その結果、出力電圧Ｖｏｕｔの急峻な降下を引き起こすことがある。この有害な影響は追加的なシーケンサ７０をオプションで提供することにより防止されることができ、追加的なシーケンサ７０は、スイッチング装置２０および追加的なスイッチング装置３０を駆動することに関連する異なる動作フェーズを制御し、動作サイクルの完了後にのみスイッチング・パラメータの変更を許可する。シーケンサ７０は、状態機械、すなわち、状態ラッチまたは保存挙動を有する論理回路として構成されるデジタル・シーケンサとすることができる。シーケンサ７０は、動作サイクルが常に正しく、出力における急峻な電圧降下が防止され得るという利点を提供する。
【００３１】
オプションのシーケンサ７０と共にこの追加的な入力制御ループ６０を有する提案されたコンバータ回路は、入力電圧Ｖｉｎが降下または変化した場合に、発振器周波数およびその他のスイッチング・パラメータの少なくとも一方を自動変更するという効果を提供する。シーケンサ７０が提供された場合、制御ループ４０、６０は干渉を起こさず動作するが、優先権は出力制御ループ４０に与えられることができ、その場合、出力制御ループ４０は、入力制御ループ６０によって引き起こされるスイッチング・パラメータの変更が発生する前に、動作サイクルを完了することを許可される。その結果、動作サイクルは常に正しくかつ完全に完了され、突然のフェーズ変化に起因する出力電圧グリッチまたは短絡回路は生じない。したがって、出力電圧Ｖｏｕｔは、出力負荷の変化に関してばかりでなく、広い入力電圧範囲にわたっても、正しく調節または制御されることができる。これは、提案されたコンバータの電力効率および信頼性を改善する。
【００３２】
提案されたコンバータは、出力電圧Ｖｏｕｔまたは出力電流とすることができる出力信号が、入力信号、例えば、入力電圧Ｖｉｎまたは入力電流の値の広い変動に対して調節される必要がある、任意の回路において使用され得ることに留意されたい。具体的な一例として、前記提案されたコンバータは、スマート・カードなどの電子装置の供給電力を生み出す集積回路において使用されることができる。
【００３３】
集積回路において使用される場合、入力制御ループ６０は集積回路自体の電力供給を調査もしくは監視する電圧スーパーバイザもしくは監視回路もしくはユニットを備えることができ、または電圧スーパーバイザもしくは監視回路もしくはユニットから成ることができる。電力供給が突然低下した場合、スーパーバイザ回路は、提案されたコンバータに信号を送信し、提案されたコンバータは、その出力において電圧降下を生じさせないように、そのスイッチング・パラメータ、例えば、動作周波数を変更する。したがって、例えば、スマート・カードを給電するために使用される出力電圧Ｖｏｕｔは、例えば、スマート・カードの非活動化フェーズの間も、その正しい調節値に維持される。
【００３４】
要約すると、入力電圧Ｖｉｎの高速変化中の望ましくないスイッチング状態、および制御回路のスイッチング周波数またはスイッチング・パラメータのそれに続くフェーズ変化は、提案された追加的な入力制御ループ６０によって防止されることができる。好ましいオプションとして、動作サイクルの完了後にのみスイッチング・パラメータの変更を許可する、追加的なシーケンサ７０が使用されることができる。そのおかげで、２つの制御ループ４０、６０は干渉を起こさず動作することができるが、優先権は制御ループ４０、６０の一方に、好ましくは出力制御ループ４０に与えられることができる。
【００３５】
本発明は、上述の好ましい実施形態に限定されず、第１の値の入力信号を第２の値の出力信号に変換するためにスイッチト動作モードが使用される任意のコンバータ回路において使用され得ることに留意されたい。さらに、提案された追加的な入力制御ループ６０は、ステップダウン降圧型コンバータ、ステップアップ昇圧型コンバータ、昇降圧型コンバータ、ＣＵＫコンバータ、絶縁ＤＣコンバータ、フライバック・コンバータ、フォワード・コンバータ、および電流コンバータなど、スイッチト動作モードにすべてが基づいた、すべての種類のコンバータ回路において使用されることができる。したがって、好ましい実施形態は、添付の特許請求の範囲内で様々なものとなることができる。
【００３６】
「備える［comprising］」という語は、特許請求の範囲を含む明細書において使用される場合、述べられた特徴、手段、ステップ、または構成要素の存在を指定することが意図されるが、１つまたは複数の他の特徴、手段、ステップ、構成要素、またはそれらの群の存在または追加を排除しないことが、さらに留意されなければならない。さらに、請求項における要素の前に置かれた「１つの［aまたはan］」は、複数のそのような要素の存在を排除しない。さらに、参照符号は、特許請求の範囲を限定しない。本発明は、ハードウェアおよびソフトウェアの両方によって実施されることができ、いくつかの「手段」が、同じアイテムまたはハードウェアによって表されることができる。別の特徴または利点とは別個に説明された本発明の特徴および利点は組み合わされても、別の特徴または利点と組み合わされて説明された本発明の特徴および利点は別個にも現れることができることにも留意されたい。
【図面の簡単な説明】
【００３７】
【図１】従来のＤＣコンバータ回路の概略ブロック図である。
【図２】前記好ましい実施形態によるＤＣコンバータ回路の概略ブロック図である。
【図１】
2008509643.tif 000003
【図２】
2008509643.tif 000004
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
スイッチト動作モードに基づいて、入力信号の第１の値を出力信号の第２の値に変換するためのコンバータ回路であって、
ａ）前記入力信号の前記第１の値を第１の基準値と比較し、その比較結果に応じて、前記スイッチト動作モードのスイッチング・パラメータを制御するための、第１の制御ループと、
ｂ）前記出力信号の前記第２の値を第２の基準値と比較し、その比較結果に応じて、前記スイッチト動作モードのスイッチング・パラメータを制御するための、第２の制御ループと、
ｃ）動作サイクルの完了後にだけ前記スイッチング・パラメータの制御を許可にするためのシーケンサ手段と、
を備える、コンバータ回路。
【請求項２】
前記第１の値は、前記入力信号の電圧値であり、前記第２の値は、前記出力信号の電圧値である、請求項１に記載のコンバータ回路。
【請求項３】
前記スイッチング・パラメータは、前記スイッチト動作モードの動作周波数である、請求項１に記載のコンバータ回路。
【請求項４】
前記第１の制御ループは、前記第１の値が第１の基準値より下に降下した場合、前記動作周波数を低減するように適応される、請求項１に記載のコンバータ回路。
【請求項５】
前記変換は、少なくとも１つのスイッチト・インダクタンスに基づく、請求項１に記載のコンバータ回路。
【請求項６】
前記シーケンサ手段は、前記第２の制御ループに優先権を与えるように適応される、請求項１に記載のコンバータ回路。
【請求項７】
電子装置の供給電力を生み出すための集積回路であって、前記集積回路は、請求項１から６のいずれか１項によるコンバータ回路を備え、前記第１の制御ループは、前記集積回路の供給電圧を監視するための監視手段を備える、集積回路。
【請求項８】
前記電子装置は、スマート・カード装置である、請求項７に記載の集積回路。
【請求項９】
スイッチト動作モードに基づいて、入力信号の第１の値を出力信号の第２の値に変換するための方法であって、
ａ）前記入力信号の前記第１の値を第１の基準値と比較する第１の比較ステップと、
ｂ）前記第１の比較ステップの結果に応じて、前記スイッチト動作モードのスイッチング・パラメータの制御を開始する第１の制御ステップと、
ｃ）前記出力信号の前記第２の値を第２の基準値と比較する第２の比較ステップと、
ｄ）前記第２の比較ステップの結果に応じて、前記スイッチト動作モードのスイッチング・パラメータの制御を開始する第２の制御ステップと、を備え、
前記スイッチング・パラメータの制御は、動作サイクルの完了後にだけ許可される、方法。
【手続補正２】
【補正対象書類名】明細書
【補正対象項目名】００１６
【補正方法】変更
【補正の内容】
【００１６】
この目的は、
ａ）前記入力信号の前記第１の値を第１の基準値と比較して、その比較結果に応じて、前記スイッチト動作モードのスイッチング・パラメータを制御するための、第１の制御ループと、
ｂ）前記出力信号の前記第２の値を第２の基準値と比較して、その比較結果に応じて、前記スイッチト動作モードのスイッチング・パラメータを制御するための、第２の制御ループと、
ｃ）動作サイクルの完了後にだけ前記スイッチング・パラメータの制御を許可にするためのシーケンサ手段と、
を備える、上述の種類のコンバータによって達成される。
【手続補正３】
【補正対象書類名】明細書
【補正対象項目名】００２２
【補正方法】変更
【補正の内容】
【００２２】
上記コンバータにおいて、動作サイクルの完了後にだけスイッチング・パラメータの制御を可能にするためにシーケンサ手段が提供されることは、動作サイクルが常に正常に終了させられ、フェーズ変化に起因する有害な影響が出力電圧に及ばないことを保証する。これに加えて、シーケンサ手段は、第２の制御ループに優先権を与えるように適応されることができる。それによって、２つの制御ループが干渉を起こさずに動作することが保証される。
【手続補正４】
【補正対象書類名】明細書
【補正対象項目名】００２４
【補正方法】変更
【補正の内容】
【００２４】
上記目的は、
スイッチト動作モードに基づいて、入力信号の第１の値を出力信号の第２の値に変換するための方法であって、
ａ）前記入力信号の前記第１の値を第１の基準値と比較する第１の比較ステップと、
ｂ）前記第１の比較ステップの結果に応じて、前記スイッチト動作モードのスイッチング・パラメータの制御を開始する第１の制御ステップと、
ｃ）前記出力信号の前記第２の値を第２の基準値と比較する第２の比較ステップと、
ｄ）前記第２の比較ステップの結果に応じて、前記スイッチト動作モードのスイッチング・パラメータの制御を開始する第２の制御ステップと、を備え、
前記スイッチング・パラメータの制御は、動作サイクルの完了後にだけ許可される、方法によっても達成される。
【国際調査報告】
2008509643.tif 000005
2008509643.tif 000006
2008509643.tif 000007